(57)【要約】【課題】壁体の両側の各開口部を容易に選択的に開放または閉鎖可能でありながらも見栄えを向上し、かつ安全性を向上し得る出入開口構造を提供する。【解決手段】出入開口構造１は、収納部１４を設けた収納壁部１３の両側に、互いに略同開口幅寸法Ｗ１，Ｗ１とされた第１開口部１１及び第２開口部１２を設け、これら第１開口部及び第２開口部の一方を閉鎖させた際には、他方を開放させる構造とされた一枚のスライド扉２０を前記収納壁部の前記収納部の開口側とは異なる面１３ａに沿わせるように設け、このスライド扉を、前記開口幅寸法に前記収納壁部の幅寸法Ｗ２を加えた寸法と略等しい扉幅寸法Ｗ３としている。【選択図】図１
2013256812.tif 000002
【特許請求の範囲】
【請求項１】
収納部を設けた収納壁部の両側に、互いに略同開口幅寸法とされた第１開口部及び第２開口部を設け、これら第１開口部及び第２開口部の一方を閉鎖させた際には、他方を開放させる構造とされた一枚のスライド扉を前記収納壁部の前記収納部の開口側とは異なる面に沿わせるように設け、このスライド扉を、前記開口幅寸法に前記収納壁部の幅寸法を加えた寸法と略等しい扉幅寸法としたことを特徴とする出入開口構造。
【請求項２】
請求項１において、
前記スライド扉をスライド移動させて前記第１開口部を閉鎖させる自動閉鎖機構を設けたことを特徴とする出入開口構造。
【請求項３】
請求項２において、
前記第１開口部を前記スライド扉によって開放させた状態で、該スライド扉を停止させるストッパー部を設けたことを特徴とする出入開口構造。
【請求項４】
請求項３において、
前記ストッパー部は、前記スライド扉を停止させるロック操作と解除操作とがなされる構造とされていることを特徴とする出入開口構造。
【請求項５】
請求項１乃至４のいずれか１項において、
前記スライド扉に、該スライド扉が前記第１開口部及び前記第２開口部のいずれか一方を閉鎖した状態で、この一方の開口部の開口幅方向略中央に位置する採光窓部を設けたことを特徴とする出入開口構造。
【発明の詳細な説明】
【技術分野】
【０００１】
本発明は、建物内に開口部を設け、該開口部を開閉するスライド扉を設けた出入開口構造に関する。
【背景技術】
【０００２】
従来より、住居等の建物内に開口部を設け、該開口部（出入開口）を開閉する引戸等のスライド扉を設けた開口構造が知られている。また、建物内空間の区画の多様化や趣向等に応じて、例えば、玄関スペースを家人用と客人用とに壁体によって区分したり、収納空間や水廻り空間と居室空間等とを壁体によって区分したりしたいという要望があった。また、このような建物内空間を区分する壁体の両側に開口部を設け、これら開口部を選択的に開放または閉鎖させ、その一方を出入口や通路として選択的に使用したい場合があった。
例えば、下記特許文献１では、壁体の両側に第１開口部と第２開口部とを設け、これら第１開口部及び第２開口部の一方を閉塞させたときには他方の開口部を開放させる構造とされた一枚のスライド扉を壁体の一方面に沿わせるように設けた開口構造が提案されている。
【先行技術文献】
【特許文献】
【０００３】
【特許文献１】特開２０１２−４６９１１号公報
【発明の概要】
【発明が解決しようとする課題】
【０００４】
しかしながら、上記特許文献１に記載された開口構造では、スライド扉が一方の開口部を閉鎖した状態で、壁体の一方面側（スライド扉が存在する側）から見た状態では、壁体が目立ち易くなり、更なる改善が望まれていた。また、一方の開口部を閉鎖した状態のスライド扉を、他方の開口部を閉鎖する方向へ移動させる際に、壁体の一方面側に手指や物品等が存在すれば、スライド扉と壁体との間に挟みこまれるようなことも考えられ、更なる改善が望まれる。
【０００５】
本発明は、上記実情に鑑みてなされたものであり、壁体の両側の各開口部を容易に選択的に開放または閉鎖可能でありながらも見栄えを向上し、かつ安全性を向上し得る出入開口構造を提供することを目的としている。
【課題を解決するための手段】
【０００６】
上記目的を達成するために、本発明に係る出入開口構造は、収納部を設けた収納壁部の両側に、互いに略同開口幅寸法とされた第１開口部及び第２開口部を設け、これら第１開口部及び第２開口部の一方を閉鎖させた際には、他方を開放させる構造とされた一枚のスライド扉を前記収納壁部の前記収納部の開口側とは異なる面に沿わせるように設け、このスライド扉を、前記開口幅寸法に前記収納壁部の幅寸法を加えた寸法と略等しい扉幅寸法としたことを特徴とする。
【０００７】
本発明においては、前記スライド扉をスライド移動させて前記第１開口部を閉鎖させる自動閉鎖機構を設けるようにしてもよい。
また、本発明においては、前記第１開口部を前記スライド扉によって開放させた状態で、該スライド扉を停止させるストッパー部を設けるようにしてもよい。
また、本発明においては、前記ストッパー部を、前記スライド扉を停止させるロック操作と解除操作とがなされる構造としてもよい。
また、本発明においては、前記スライド扉に、該スライド扉が前記第１開口部及び前記第２開口部のいずれか一方を閉鎖した状態で、この一方の開口部の開口幅方向略中央に位置する採光窓部を設けるようにしてもよい。
【発明の効果】
【０００８】
本発明に係る出入開口構造は、上述のような構成としたことで、壁体の両側の各開口部を容易に選択的に開放または閉鎖可能でありながらも見栄えを向上させることができ、安全性を向上させることができる。
【図面の簡単な説明】
【０００９】
【図１】（ａ）、（ｂ）は、いずれも本発明の一実施形態に係る出入開口構造の一例を模式的に示し、（ａ）は、図２（ａ）におけるＸ１−Ｘ１線矢視に対応させた一部破断概略横断面図、（ｂ）は、図２（ｂ）におけるＸ２−Ｘ２線矢視に対応させた一部破断概略横断面図である。
【図２】（ａ）、（ｂ）は、いずれも同出入開口構造を模式的に示す一部破断概略正面図である。
【図３】（ａ）は、図２（ｂ）におけるＹ−Ｙ線矢視に対応させた一部破断概略側面図、（ｂ）は、図２（ｂ）におけるＺ１部を模式的に示す一部破断概略斜視図である。
【図４】（ａ）、（ｂ）は、いずれも本発明の他の実施形態に係る出入開口構造の一例を模式的に示す一部破断概略横断面図である。
【図５】（ａ）は、図４（ａ）におけるＸ３−Ｘ３線矢視に対応させた一部破断概略縦断面図、（ｂ）は、図４（ｂ）におけるＸ４−Ｘ４線矢視に対応させた一部破断概略縦断面図である。
【図６】（ａ）、（ｂ）は、いずれも本発明の更に他の実施形態に係る出入開口構造の一例を模式的に示す一部破断概略正面図である。
【図７】（ａ）は、図６（ａ）におけるＸ５−Ｘ５線矢視に対応させた一部破断概略横断面図、（ｂ）は、図６（ｂ）におけるＸ６−Ｘ６線矢視に対応させた一部破断概略横断面図、（ｃ）は、図６（ｂ）におけるＺ２部を模式的に示す一部破断概略斜視図である。
【発明を実施するための形態】
【００１０】
以下に本発明の実施の形態について、図面に基づいて説明する。
なお、一部の図では、他図に付している詳細な符号の一部を省略している。
また、以下の各実施形態では、図１（ａ）に示すＶ方向から見た状態を基準として、図１（ａ）における上側を背面（後方）側、下側（スライド扉が存在する側）を手前（前方）側として、その方向等を原則的に説明する。
【００１１】
図１〜図３は、第１実施形態に係る出入開口構造の一例を模式的に示す図である。
本実施形態に係る出入開口構造１は、図１及び図２に示すように、収納部１４を設けた収納壁部１３の両側に、第１開口部１１及び第２開口部１２を設けた構造とされている。また、出入開口構造１は、これら第１開口部１１及び第２開口部１２の一方を閉鎖させた際には、他方を開放させる構造とされた一枚のスライド扉２０を、収納壁部１３の収納部１４の開口側とは異なる面（前面）１３ａに沿わせるようにスライド自在に設けた構造とされている。
この出入開口構造１は、住居等の建物に設けられた開口１０に設けられ、これら収納壁部１３及びスライド扉２０によって建物内空間を間仕切り、また、一方の開口部１１（または１２）を出入口や通路として利用可能な構成とされている。また、本実施形態では、出入開口構造１に、スライド扉２０が建て付けられる扉枠３０を設けている。
【００１２】
開口１０は、建物の壁体（間仕切壁）に設けられたものとしてもよい。この場合は、開口１０の内周天面が横桟やまぐさ等の横架材からなる上枠下地若しくは天井面によって区画され、開口１０の左右両側の内周側面が間柱や柱等の左右の縦枠下地によって区画され、開口１０の内周底面が床面等によって区画されたものとしてもよい。または、開口１０は、建物内の通路や室内等の壁面等によって区画されたものとしてもよい。この場合は、開口１０の内周天面が天井面等によって区画され、開口１０の左右両側の内周側面が左右の内壁面によって区画され、開口１０の内周底面が床面等によって区画されたものとしてもよい。図例では、開口１０の上側に垂れ壁等を設けずに、開口１０の内周天面を天井面とした例を示している。
【００１３】
扉枠３０は、本実施形態では、スライド扉２０をスライド自在に吊り下げ支持する上レール部材３１と、この上レール部材３１の長手方向両端から垂れ下がるように設けられた左右の縦枠３２，３２と、を備えている。なお、図２、後記する図５及び図６では、上レール部材３１を破断して図示している。
上レール部材３１は、開口１０の開口幅寸法に応じた長さ寸法とされ、収納壁部１３の上端部の前面側において開口幅方向に沿って配設されている。
また、この上レール部材３１には、下向きに開口するガイド溝が設けられている。この上レール部材３１は、上板部と、この上板部の幅方向（見込み方向、前後方向）両側縁から垂れ下がるように連成された両側板部と、これら両側板部の下端縁から幅方向内方側に向けて突出するようにそれぞれ連成された案内片と、を有している。また、この上レール部材３１のガイド溝に、スライド扉２０の上端部に連結固定された後記するランナー部材２２，２３の転動部（ローラー）等が収容されている。また、この上レール部材３１の両案内片に、ランナー部材２２，２３のローラー等が当該上レール部材３１の長手方向に沿って転動自在に支持されることで、スライド扉２０が上レール部材３１に対してスライド自在に吊り下げ支持されている。
【００１４】
なお、上レール部材３１を、帯板状の上枠本体の下向き開口の凹溝に嵌め込み、該上枠本体とともに上枠（鴨居）となるものとしてもよい。
また、図例では、上レール部材３１を、開口１０の内周天面、つまりは天井面に沿わせるように配設した例を示しているが、このような態様に限られない。例えば、上レール部材３１を、天井に埋め込むように配設したり、収納壁部１３の前面側上端部等に固定して配設したりする態様としてもよい。さらには、開口１０の内周天面、つまりは天井面と上レール部材３１との間に垂れ壁や空間等を設けるように配設する態様としてもよい。
【００１５】
左右の縦枠３２，３２は、開口１０の開口高さ寸法に応じた長さ寸法とされ、帯板状とされている。これら左右の縦枠３２，３２は、開口１０の左右両側の内周側面に沿わせるように配設されたものとしてもよい。
これら左右の縦枠３２，３２は、スライド扉２０の扉幅方向端部が当接される戸当り部として機能する。なお、これら左右の縦枠３２，３２の互いに向き合う各内側面に、互いに向き合う方向に開口し、スライド扉２０の扉幅方向端部を受け入れる戸じゃくり溝を長手方向に沿って設けるようにしてもよい。
図例では、これら左右の縦枠３２，３２と上レール部材３１とを、上レール部材３１の長手方向各端部の下面に、各縦枠３２，３２の上端面を当接させて接合し、三方枠状に枠組みした構造としている。なお、このような枠組み態様に代えて、上レール部材３１の長手方向の各端面に、各縦枠３２，３２の上端部内側面を当接させて接合し、三方枠状に枠組みした構造としてもよい。
【００１６】
収納壁部１３は、上記した扉枠３０の後方側近傍に配設されている。また、収納壁部１３は、その幅方向（左右方向）両側に、第１開口部１１及び第２開口部１２を形成するように、開口１０の開口幅方向略中央に配設されている。
また、本実施形態では、収納壁部１３の高さ寸法を、開口１０の開口高さ寸法と略同寸法としている。つまり、本実施形態では、収納壁部１３の高さ寸法を、床面から天井面に略至る高さ寸法としている。
また、本実施形態では、収納壁部１３は、その収納部１４が後方側、つまり、スライド扉２０が存在する前方側の反対側に開口した構造とされている。この収納壁部１３は、収納部１４の左右両側を区画する左右の側板１３ｂ，１３ｂと、収納部１４の奥側（図示手前側）を区画する背板１３ｃと、を備えた略箱形状とされている。
【００１７】
また、本実施形態では、収納壁部１３に、左右の側板１３ｂ，１３ｂ間に架け渡すように複数枚の棚板１３ｄを上下に間隔を空けて設けている。なお、左右の側板１３ｂ，１３ｂの各内側面（対向面）に、上下方向に沿って間隔を空けて、これら棚板１３ｄを受ける棚受ダボが挿入される複数のダボ穴を設け、これら棚板１３ｄの上下の配設位置を変更可能とした態様としてもよい。また、収納壁部１３に、収納部１４を収納開口幅方向（左右方向）に区画するような縦仕切板等を設けるようにしてもよい。
なお、収納壁部１３に天板や底板（地板）を設けるようにしてもよく、更に台輪等を下端部に設けるようにしてもよい。
また、この収納壁部１３の収納部１４の奥行方向に沿う寸法（前後寸法）や収納開口幅方向に沿う寸法（左右寸法）は、当該出入開口構造１が設けられた場所やスペース、収納部１４に収納される被収納物の種類や使い勝手等に応じて適宜、設定するようにしてもよい。
【００１８】
また、収納壁部１３の左右の側板１３ｂ，１３ｂの両方または一方を、連結金具や固定金具等の固定具によって開口１０の内周天面や内周底面に固定するようにしてもよい。また、天板を設けた場合には、該天板を同様の固定具によって開口１０の内周天面に固定したり、底板を設けた場合には、該底板を同様の固定具によって開口１０の内周底面に固定したりするようにしてもよい。
また、収納壁部１３の前面１３ａの左右両側端部等に、スライド扉２０の後面に摺るように接する隙間遮蔽部材（モヘア部材）を上下方向に沿って設けるようにしてもよい。
また、収納壁部１３の高さ寸法を、床面から天井面に略至る高さ寸法とした態様に限られず、上記した上レール部材３１と略同様、天井面と収納壁部１３との間に垂れ壁や空間等が設けられるものとしてもよい。
また、本実施形態では、収納壁部１３の収納部１４を、反スライド扉２０側となる後方側に開口したものとした例を示しているが、左右両側または左右一方側に開口したものとしてもよい。
【００１９】
この収納壁部１３の両側に設けられた第１開口部１１及び第２開口部１２は、図１（ａ）に示すように、互いに略同開口幅寸法Ｗ１，Ｗ１とされている。本実施形態では、収納壁部１３の幅寸法Ｗ２を、これら各開口部１１，１２の開口幅寸法Ｗ１よりも小さい幅寸法としている。図例では、収納壁部１３の幅寸法Ｗ２を、これら各開口部１１，１２の開口幅寸法Ｗ１の略１／２程度としている。これら各開口部１１，１２の開口幅寸法Ｗ１は、出入口や通路としてスムーズに往来が可能なように適宜、設定するようにしてもよい。
これら各開口部１１，１２は、内周天面が上レール部材３１によって区画され、内周底面が床面によって区画されている。また、図示右方側の第１開口部１１は、左右両側の内周側面が収納壁部１３の一方（図示右方側）の側板１３ｂ及び一方（図示右方）の縦枠３２によって区画されている。図示左方側の第２開口部１２は、左右両側の内周側面が収納壁部１３の他方（図示左方側）の側板１３ｂ及び他方（図示左方）の縦枠３２によって区画されている。
【００２０】
スライド扉２０は、略矩形平板状とされ、本実施形態では、高さ寸法が床面近傍から上レール部材３１近傍までの高さ寸法とされている。つまりは、このスライド扉２０は、本実施形態では、高さ寸法が床面近傍から天井面近傍までの高さ寸法とされ、上端面が上レール部材３１の下面に近接対面し、下端面が床面に近接対面し、後面が収納壁部１３の前面１３ａに近接対面するように配設されている。
なお、以下では、スライド扉２０の戸先側及び戸尻側を、図示右方側の第１開口部１１を開閉する状態を基準として原則的に説明する。つまり、このスライド扉２０によって閉鎖される第１開口部１１側（図示右方側）の縦枠３２に対向する側の扉幅方向端部を戸先側端部とし、その逆側の扉幅方向端部を戸尻側端部として原則的に説明する。
【００２１】
このスライド扉２０は、各開口部１１，１２の開口幅寸法Ｗ１に収納壁部１３の幅寸法（左右方向に沿う寸法）Ｗ２を加えた寸法と略等しい扉幅寸法Ｗ３とされている。
つまり、図１（ａ）及び図２（ａ）に示すように、スライド扉２０が、第１開口部１１を閉鎖（第２開口部１２を全開）し、その戸先側端面が第１開口部１１側の縦枠３２に当接した状態で、その戸尻側端面が収納壁部１３の第２開口部１２側の側面（図示左側板１３ｂの外側面）と略同一平面状となる構成とされている。
一方、図１（ｂ）及び図２（ｂ）に示すように、スライド扉２０が、第２開口部１２を閉鎖（第１開口部１１を全開）し、その戸尻側端面が第２開口部１２側の縦枠３２に当接した状態で、その戸先側端面が収納壁部１３の第１開口部１１側の側面（図示右側板１３ｂの外側面）と略同一平面状となる構成とされている。
【００２２】
また、本実施形態では、スライド扉２０の戸先側端部の前面側に、手掛部（引手）２０ａを設けている。図例では、手掛部２０ａを、前方に開口し、スライド扉２０の前面側に凹むように設けられた凹状の手掛部２０ａとしている。なお、この戸先側端部の後面側にも同様の手掛部を設けるようにしてもよい。また、スライド扉２０の戸尻側端部の前後面の両方または一方にも同様の手掛部を設けるようにしてもよい。また、手掛部２０ａとしては、図例のようなものに限られず、スライド扉２０の上下方向の略全長に亘って設けられたものとしてもよく、また、凹状のものに代えて、スライド扉２０の前面等に付設されるように設けられたものとしてもよい。
【００２３】
また、本実施形態では、スライド扉２０に、採光窓部２１を設けている。この採光窓部２１は、上下方向に長尺で、比較的に幅狭のスリット状とされている。図例では、スライド扉２０の上下方向の概ね全長に亘って採光窓部２１を設けた例を示している。
また、この採光窓部２１は、当該スライド扉２０が第１開口部１１及び第２開口部１２のいずれか一方を閉鎖した状態で、この一方の開口部の開口幅方向略中央に位置するように設けられている。本実施形態では、図１（ａ）及び図２（ａ）に示すように、この採光窓部２１を、当該スライド扉２０が第１開口部１１を閉鎖した状態で、この第１開口部１１の開口幅方向略中央に位置するように設けている。つまり、採光窓部２１を、当該スライド扉２０の扉幅方向中央ではなく、戸先側に寄った位置に設けている。
【００２４】
また、図１（ｂ）及び図２（ｂ）に示すように、当該スライド扉２０が第２開口部１２を閉鎖した状態で、その一部が収納壁部１３の第２開口部１２側の側面よりも第２開口部１２側に位置するように採光窓部２１を設けた例を示している。なお、この状態で、収納壁部１３と前後方向で重なり合わないように、その全体が第２開口部１２側に位置するように採光窓部２１を設けるような態様としてもよい。
なお、この採光窓部２１は、透明や半透明等の透光性を有した材料から形成されたものとしてもよい。
また、この採光窓部２１は、当該スライド扉２０の扉本体の厚さ寸法と略同厚さ寸法とされたものとしてもよい。図例では、扉本体の厚さよりも薄い厚さ寸法とされた鏡板状の採光窓部２１を例示している。つまり、スライド扉２０の扉本体の前後面から凹むように採光窓部２１を設けた例を示している。
【００２５】
また、本実施形態では、出入開口構造１に、スライド扉２０の下端側をガイドする下端ガイド部材１９を設けている。
本実施形態では、この下端ガイド部材１９を、収納壁部１３に設けている。また、本実施形態では、収納壁部１３の前面１３ａの下端部に、収納壁部１３の幅方向に間隔を空けて複数の下端ガイド部材１９，１９を設けている。図例では、収納壁部１３の幅方向両端部近傍に、それぞれ下端ガイド部材１９，１９を設けた例を示している。
これら下端ガイド部材１９，１９は、図３（ａ）に示すように、収納壁部１３の前面１３ａの下端部に固定される固定片１９ａと、この固定片１９ａの下端縁から床面に沿うように前方に突出する連結片１９ｂと、この連結片１９ｂの前端縁から上方に向けて突出するガイド部としてのガイド片１９ｃと、を備えている。スライド扉２０の下端部には、下方に向けて開口したガイド凹溝２０ｂが当該スライド扉２０の扉幅方向の全幅に亘って形成されている。このガイド凹溝２０ｂに、各下端ガイド部材１９，１９のガイド片（ガイド部）１９ｃ，１９ｃが挿入（遊挿）され、スライド扉２０の下端側がガイドされる。
【００２６】
上記のように、下端ガイド部材１９，１９を収納壁部１３に設けることで、例えば、床側に下端ガイド部材としてのガイドピン等を設ける態様とした場合と比べて、当該出入開口構造１を施工する際における作業性を向上させることができる。
また、図例のように、収納壁部１３の幅方向両端部近傍に、それぞれ下端ガイド部材１９，１９を設けた構造とすることで、比較的に扉幅寸法Ｗ３が大きく形成されたスライド扉２０の下端側を安定的にガイドすることができる。また、これら下端ガイド部材１９，１９は、収納壁部１３の前面１３ａ側で、常時、スライド扉２０が存在する位置に設けられているので、これら下端ガイド部材１９，１９を目立ち難くすることができ、見栄えを向上させることができる。
【００２７】
なお、下端ガイド部材１９，１９のガイド部としては、図例のような片状のものに限られず、ピン状のものとしてもよい。
また、下端ガイド部材としては、上記のように収納壁部１３に設けられたものに限られない。例えば、床面上に固定的に配設されるガイドピンや、上下方向に出没自在とされた磁石を設けたガイドピンを有し、床に埋め込まれるように配設されるマグネットガイド等としてもよい。
また、複数の下端ガイド部材を設けずに、単一の下端ガイド部材を設けた構造としてもよい。
【００２８】
また、スライド扉２０の上端部の扉幅方向両側端部近傍には、図２に示すように、上記した上レール部材３１に収容されてガイドされるランナー部材２２，２３がそれぞれに連結固定されている。これらランナー部材２２，２３は、スライド扉２０の上端部に設けられたカップ部等に連結固定される連結固定部やこの連結固定部に回動自在に設けられた転動部（ローラー）等を備えている。
このような上吊り構造でスライド扉２０が上レール部材３１に案内支持される構成とすることで、下レールが不要となり、床面側の見栄えを向上させることができる。
【００２９】
また、本実施形態では、出入開口構造１に、図２に示すように、スライド扉２０をスライド移動させて第１開口部１１を閉鎖させる自動閉鎖機構（オートクローズ機構）２４を設けている。
本実施形態では、この自動閉鎖機構２４を、上レール部材３１のガイド溝に配設し、スライド扉２０の戸先側に設けられたランナー部材２３に連結固定している。
この自動閉鎖機構２４は、第１開口部１１を開放させた状態のスライド扉２０を、第１開口部１１を閉鎖させる側へ付勢する付勢部材２６を備えている。本実施形態では、この付勢部材２６を、図２に示すように、内周側端部（巻心）がスライド扉２０の上端側に固定され、外周側端部が上レール部材３１に固定された渦巻きばね２６としている。スライド扉２０の上端側には、この渦巻きばね２６の内周側端部が固定された内端固定部２７が設けられている。また、上レール部材３１には、この渦巻きばね２６の外周側端部が固定された外端固定部３１ａが設けられている。
【００３０】
この渦巻きばね２６は、図２（ｂ）に示すように、スライド扉２０によって第１開口部１１を開放させた状態では、外周側端部側が繰り出されて伸長し、当該渦巻きばね２６に比較的に大きな巻き込み力（付勢力、弾性復元力）が生じた状態とされる。この渦巻きばね２６の弾性復元力によって、スライド扉２０が第１開口部１１を閉鎖させる側に付勢される。また、この渦巻きばね２６は、第１開口部１１を全開させた状態のスライド扉２０を、第１開口部１１を全閉させるまでスライド移動させる構成とされたものとしてもよい。または、第１開口部１１を半開きさせた状態のスライド扉２０を、第１開口部１１を全閉させるまでスライド移動させる構成とされたものとしてもよい。
【００３１】
また、本実施形態では、自動閉鎖機構２４に、上レール部材３１に沿って転動する補助ローラー２５を設けている。図例では、この補助ローラー２５を、戸先側のランナー部材２３から間隔を空けて、内端固定部２７近傍に設けた例を示している。このような補助ローラー２５を設けることで、スライド扉２０の上端側に固定された自動閉鎖機構２４が上レール部材３１に対して摺り動くようなことが低減され、自動閉鎖機構２４を上レール部材３１に対してスムーズかつ安定的に移動させることができる。なお、このような補助ローラー２５を設けないようにしてもよい。
【００３２】
また、本実施形態では、自動閉鎖機構２４に、第１開口部１１を閉鎖するスライド扉２０の戸先側端部と、その当接対象としての第１開口部１１側の縦枠３２との衝撃を緩和し、吸収する衝撃吸収部（ショックアブソーバー、ダンパー）２８を設けている。図例では、この衝撃吸収部を、エアーシリンダー２８としている。
このエアーシリンダー２８には、シリンダー本体や、該シリンダー本体に対してスライド扉２０のスライド方向に伸縮するロッド２９、短縮されたロッド２９を伸長状態に復帰させるばね等の復帰部などが設けられている。
【００３３】
このエアーシリンダー２８は、図２（ｂ）に示すように、スライド扉２０によって第１開口部１１を開放させた状態では、復帰部によって伸長状態とされたロッド２９が、スライド扉２０の戸先側端面よりも第１開口部１１側の縦枠３２側に大きく突出した状態とされる。また、自動閉鎖機構２４によってスライド扉２０が第１開口部１１を閉鎖する方向へスライド移動されれば、ロッド２９の先端部が当接対象としての上レール部材３１の端内壁部や縦枠３２等の当接部に当接し、図２（ａ）に示すように、短縮される。このようにロッド２９が短縮されることで、シリンダー本体内のエアーの圧縮によるいわゆるエアークッション作用により、スライド移動するスライド扉２０が減速（減衰）される。
【００３４】
このようなエアーシリンダー２８を設けることで、スライド扉２０の戸先側端部と、その当接対象としての第１開口部１１側の縦枠３２との衝撃を緩和し、吸収することができ、衝撃音の発生や、スライド扉２０や自動閉鎖機構２４等の損傷等を抑制することができる。
なお、衝撃吸収部としては、図例のようなエアーシリンダー２８に限られず、油等の液体の粘性抵抗を利用した液体式（オイル式）のシリンダー等を採用するようにしてもよく、または、ゴム等の弾性体を採用するようにしてもよい。さらには、このような衝撃吸収部２８を自動閉鎖機構２４に設けないようにしてもよい。
【００３５】
なお、自動閉鎖機構２４に設けられる付勢部材としては、上述のような渦巻きばね２６に限られず、引張コイルばね等の他のばね部材としてもよい。
また、自動閉鎖機構２４としては、このようなばね部材によってスライド扉２０を、第１開口部１１を閉鎖させる側へ付勢する構成とされたものに限られない。例えば、スライド扉２０の上端側に紐状部材の一端を固定し、この紐状部材の他端側を、中空形状とされた縦枠３２等に収容させ、該紐状部材の他端に錘（バラスト）等を設けた構成とされたものとしてもよい。このようなものでも、錘の自重により、第１開口部１１を開放させた状態のスライド扉２０を、第１開口部１１を閉鎖させる側へスライド移動させることができる。その他、種々の構成とされた自動閉鎖機構２４の採用が可能である。
【００３６】
また、本実施形態では、出入開口構造１に、図１及び図２に示すように、スライド扉２０が自動閉鎖機構２４によってスライド移動されて閉鎖される第１開口部１１を、スライド扉２０によって開放させた状態で、スライド扉２０を停止させるストッパー部１６を設けている。
本実施形態では、このストッパー部１６を、スライド扉２０を停止させるロック操作と解除操作とがなされる構造としている。また、本実施形態では、このストッパー部１６は、そのロック操作及び解除操作が第１開口部１１側において可能な構造とされている。
【００３７】
このストッパー部１６は、図１及び図２に示すように、収納壁部１３の第１開口部１１側の側面（第１開口部１１側の側板１３ｂの外側面）に設けられている。図例では、第１開口部１１側の側板１３ｂの上下方向略中央部で前端（背板１３ｃ）側にストッパー部１６を設けた例を示している。
また、このストッパー部１６は、図３（ｂ）に示すように、第１開口部１１側の側板１３ｂの外側面に固定された本体部１７と、この本体部１７に対して前後方向にスライド自在とされたスライドストッパー１８と、を備えている。
本体部１７には、前後方向に開口し、スライドストッパー１８を受け入れる中空部が設けられている。
【００３８】
スライドストッパー１８は、本体部１７の前面側に対して前方に突出したロック位置と没入したロック解除位置との間を本体部１７に対してスライド自在とされている。また、このスライドストッパー１８の後端部には、収納壁部１３の幅方向外方側に向けて突出する操作片１８ａが設けられている。この操作片１８ａをしてスライドストッパー１８を本体部１７に対して容易にスライド移動させることができる。
このスライドストッパー１８は、スライド扉２０を、第１開口部１１を開放させた状態とし、ロック位置とされれば、図１（ｂ）及び図３（ｂ）に示すように、収納壁部１３の前面１３ａ（側板１３ｂの前端面）から大きく突出し、スライド扉２０の戸先側端面に当接される。これにより、自動閉鎖機構２４によって第１開口部１１を閉鎖する方向へ付勢されたスライド扉２０の閉鎖側への移動が停止される。つまり、このスライドストッパー１８をロック位置とすれば、第１開口部１１を開放させた状態でスライド扉２０を停止させることが可能とされている。
【００３９】
一方、スライドストッパー１８は、ロック解除位置とされれば、図１（ａ）に示すように、スライド扉２０と当接しないように没入される。図例では、スライドストッパー１８は、ロック解除位置では、収納壁部１３の前面１３ａから突出しないように没入される態様とされている。このようにスライドストッパー１８をロック解除位置とすれば、スライド扉２０のスライド移動が可能とされ、自動閉鎖機構２４によってスライド扉２０をスライド移動させて第１開口部１１を閉鎖させることができる。
【００４０】
なお、図例では、単一のストッパー部１６を、収納壁部１３に設けた例を示しているが、複数のストッパー部１６を、収納壁部１３に上下に間隔を空けて設けるようにしてもよい。
また、収納壁部１３の第１開口部１１側の側面に設けられるストッパー部１６としては、図例のような態様に限られない。例えば、該側面に対して直交する軸廻りに回動自在に一端部が連結固定された回転ストッパーを採用するようにしてもよい。この場合、この回転ストッパーの他端部側を収納壁部１３の前面１３ａに対して突出させたロック位置で保持する保持部を設け、ロック解除位置では回転ストッパー自体の自重により、スライド扉２０と当接しないように没入されるものとしてもよい。
【００４１】
上記構成とされた本実施形態に係る出入開口構造１によれば、壁体としての収納壁部１３の両側の各開口部１１，１２を容易に選択的に開放または閉鎖可能でありながらも見栄えを向上させることができ、安全性を向上させることができる。
つまり、収納部１４を設けた収納壁部１３の両側の第１開口部１１及び第２開口部１２の一方を閉鎖させた際には、他方を開放させる構造とされた一枚のスライド扉２０を設けている。従って、この一枚のスライド扉２０をスライドさせることで、収納壁部１３の両側の各開口部１１，１２を容易に選択的に開放または閉鎖することができる。
また、これら第１開口部１１及び第２開口部１２を、収納部１４を設けた収納壁部１３によって区分しているので、この収納壁部１３の収納部１４に物品等を収納することができる。
また、スライド扉２０を、各開口部１１，１２の開口幅寸法Ｗ１に収納壁部１３の幅寸法Ｗ２を加えた寸法と略等しい扉幅寸法Ｗ３としている。従って、スライド扉２０が一方の開口部１１（または１２）を閉鎖した状態で、収納壁部１３のスライド扉２０が沿う面側（前方側）から見た状態では、収納壁部１３がスライド扉２０によって略覆い隠されて目立ち難くなり、見栄えを向上させることができる。また、収納壁部１３の前方側には、常時、スライド扉２０が存在するため、収納壁部１３の前面１３ａとスライド扉２０との間に手指や物品等が挟みこまれるようなことを抑制することができ、安全性を向上させることができる。
【００４２】
また、本実施形態では、スライド扉２０をスライド移動させて第１開口部１１を閉鎖させる自動閉鎖機構２４を設けているので、第１開口部１１を自動的に閉鎖させることができ、使い勝手を向上させることができる。これにより、例えば、主には第２開口部１２を開放させておきたい場合における使い勝手を向上させることができ、第１開口部１１を閉鎖させておきたい場合等における閉め忘れや半開き状態となるようなこと等を抑制することもできる。
【００４３】
また、本実施形態では、スライド扉２０が自動閉鎖機構２４によってスライド移動されて閉鎖される第１開口部１１を、スライド扉２０によって開放させた状態で、スライド扉２０を停止させるストッパー部１６を設けている。従って、自動閉鎖機構２４によって自動的に閉鎖される第１開口部１１の開放状態を維持することができ、使い勝手をより向上させることができる。
また、例えば、第２開口部１２を通路として利用するために、第１開口部１１側へスライド扉２０をスライド移動させようとした場合にもこのスライド移動を防止または抑制することができ、第１開口部１１を通路として利用している際における安全性を向上させることができる。
【００４４】
また、本実施形態では、ストッパー部１６を、スライド扉２０を停止させるロック操作と解除操作とがなされる構造としている。従って、例えば、ばね等の付勢部材によるキャッチ機構等によってスライド扉２０を停止させた状態とその解除とがスライド扉２０のスライドに伴いなされるものと比べて、より確実に停止させることができる。また、解除操作がなされる構造とされているので、開放側の第１開口部１１側の人や物等の不在を確認して解除操作を行うこともでき、安全性をより向上させることができる。
【００４５】
また、本実施形態では、ストッパー部１６のロック操作及び解除操作が、自動閉鎖機構２４によりスライド移動されるスライド扉２０によって閉鎖される第１開口部１１側において可能な構造とされている。従って、第１開口部１１を通路として利用している際における安全性をより向上させることができる。つまり、ストッパー部１６をロック位置とし、第１開口部１１を開放させた状態でスライド扉２０を停止させた状態においては、第２開口部１２側からはストッパー部１６の解除操作がし難い構造となる。これにより、例えば、第２開口部１２を通路として利用するために、スライド扉２０を第２開口部１２側等からスライド移動させようとした場合にも、このスライド移動を防止することができる。また、上述のように自動閉鎖機構２４が設けられているので、第１開口部１１を半開き状態にし難く、第１開口部１１を通路として利用する際には、第１開口部１１を開放させた状態でストッパー部１６をロック操作する必要が生じる。従って、第１開口部１１を通路として利用する際には、比較的に確実にストッパー部１６のロック操作がなされることとなり、第１開口部１１を通路として利用している際における安全性をより向上させることができる。
【００４６】
また、本実施形態では、スライド扉２０に、スライド扉２０が第１開口部１１及び第２開口部１２のいずれか一方を閉鎖した状態で、この一方の開口部（図例では、第１開口部１１）の開口幅方向略中央に位置する採光窓部２１を設けている。従って、スライド扉２０が第１開口部１１を閉鎖した状態で、収納壁部１３のスライド扉２０が沿う面側（前方側）とは反対側（後方側）からスライド扉２０を見た状態では、採光窓部２１が第１開口部１１の開口幅方向略中央に位置することとなる。これにより、例えば、スライド扉２０の扉幅方向略中央に採光窓部２１を設けた場合と比べて、第１開口部１１を閉鎖したスライド扉２０を後方側から見た状態における見栄えを向上させることができる。
【００４７】
次に、本発明の他の実施形態に係る出入開口構造の一例について図４及び図５に基づいて説明する。
なお、第１実施形態との相違点について主に説明し、同様の構成については、同一符号を付し、その説明を省略または簡略に説明する。
【００４８】
図４及び図５は、第２実施形態に係る出入開口構造の一例を模式的に示す図である。
本実施形態では、出入開口構造１Ａを、図４に示すように、住居等の建物の壁体２，５によって区画された建物内空間の玄関構造の一部として組み込んで適用した例を示している。
この玄関構造は、建物の屋外空間側に面する外側壁体２に、屋外と建物内空間とを連通させる玄関出入口３を設け、この玄関出入口３に、この玄関出入口３を開閉する玄関扉４を設けた構造とされている。図例では、玄関扉４として、一側部が開口枠に蝶番等の連結部材で連結支持された開き戸を示している。なお、玄関扉４を引戸等としてもよい。
【００４９】
また、玄関出入口３の後方側（建物内空間側）に、この玄関出入口３に連なるように玄関土間部６を設けている。この玄関土間部６上の空間は、玄関土間部側の空間としての主玄関スペースとなる。図例では、この玄関土間部６の手前側を、玄関出入口３を設けた外側壁体２で区画し、その左右両側を、それぞれ壁体（図例では、外側壁体２及び間仕切壁等の内側壁体５）によって区画した例を示している。
また、この玄関土間部６の後方側に、この玄関土間部６から段上がり状に形成されたフロアー部８を設けている（図５も参照）。
本実施形態では、この玄関土間部６とフロアー部８との直線状の境界部分に沿うように、出入開口構造１Ａを設けている。また、本実施形態では、収納壁部１３Ａの一側方側（図示右方側）の第１開口部を客人用開口部１１Ａとし、収納壁部１３Ａの他側方側（図示左方側）の第２開口部を家人用開口部１２Ａとしている。
【００５０】
また、家人用開口部１２Ａ側に、玄関土間部６をフロアー部８側、つまり図例では、後方側へ入り込ませるように連続的に延出させた補助土間部７を設けている。図例では、平面視して略方形状で左右に長い玄関土間部６の左右一方側（図示左方側）の一部分を後方側に延出させるように補助土間部７を設け、この補助土間部７と玄関土間部６とによって平面視して略Ｌ字状の一連の土間部を形成した例を示している。
また、この補助土間部７上の空間を、主玄関スペースの後方側の居室空間の一部とし、また、補助土間部７側の空間としての補助玄関スペースとしている。また、客人用開口部１１Ａ側のフロアー部８上の空間を、主玄関スペースの後方側の居室空間の一部とし、客人用開口部側居室空間としている。
【００５１】
収納壁部１３Ａ及びその両側の開口部１１Ａ，１２Ａは、これら居室空間としての客人用開口部側空間及び補助玄関スペースと、主玄関スペースとを区画するように設けられている。
本実施形態では、開口１０Ａの左右両側の一方に、主玄関スペースと居室空間とを区画する間仕切壁３３を設けている。図例では、客人用開口部１１Ａ側の縦枠３２と内側壁体５とを接続するように、主玄関スペースとその後方側の客人用開口部側居室空間とを区画する間仕切壁３３を設けている。なお、この間仕切壁３３に代えて、または加えて、家人用開口部１２Ａ側の縦枠３２と外側壁体２とを接続するように、主玄関スペースとその後方側の補助玄関スペースとを区画する間仕切壁を設けるようにしてもよい。
【００５２】
また、本実施形態では、収納壁部１３Ａを、フロアー部８上で、補助土間部７側近傍に設けている。これにより、客人用開口部１１Ａの下側は、フロアー部８によって区画される一方、家人用開口部１２Ａの下側は、その概ね全体が補助土間部７によって区画されることとなる。つまり、本実施形態では、収納壁部１３Ａの両側の開口部１１Ａ，１２Ａの開口高さ寸法を異なる寸法としている。なお、収納壁部１３Ａの全体を、フロアー部８上に設ける態様に代えて、その一部が補助土間部７上に位置するように設けるようにしてもよい。この場合は、必要に応じて、収納壁部１３Ａの下端に、補助土間部７に接地される支持脚等を設けるようにしてもよい。
【００５３】
また、本実施形態では、収納壁部１３Ａの客人用開口部１１Ａ側の側板１３ｂに沿わせるように、壁体１５を設け、この壁体１５を含み、収納壁部１３Ａとして把握している。また、本実施形態では、この壁体１５を含む収納壁部１３Ａの幅寸法Ｗ２を、第１実施形態よりも大きい幅寸法としている。図例では、収納壁部１３Ａの幅寸法Ｗ２を、各開口部１１Ａ，１２Ａの開口幅寸法Ｗ１の略２／３程度としている。また、本実施形態では、この壁体１５の客人用開口部１１Ａ側の側面に、上記同様のストッパー部１６を設けている。
壁体１５は、厚さ方向を当該収納壁部１３Ａの幅方向に沿わせ、その板幅方向を、前後方向に沿わせて設けられている。図例では、その板幅寸法を、収納壁部１３Ａの収納部１４を区画する収納箱体の前後寸法と略同寸法としている。また、収納壁部１３Ａの収納箱体をフロアー部８から天井に至る高さ寸法とせず、壁体１５をフロアー部８から天井に至る高さ寸法としている。また、本実施形態では、上レール部材３１を天井面よりも下方側に設け、収納壁部１３Ａの収納箱体の高さ寸法を、上レール部材３１近傍に至る高さ寸法としている。なお、この収納壁部１３Ａの収納箱体の客人用開口部１１Ａ側の側板１３ｂを、壁体１５にねじ等の固定止具等で固定するようにしてもよい。これによれば、収納壁部１３Ａの収納箱体の安定性を向上させることができる。
【００５４】
また、本実施形態では、スライド扉２０Ａの高さ寸法を、フロアー部８から上レール部材３１までの高さ寸法に応じた高さ寸法としている。つまり、図５（ｂ）に示すように、家人用開口部１２Ａを閉鎖した状態では、補助土間部７との間に、主玄関スペース側と補助玄関スペース側とを連通させる下側空間部が形成される高さ寸法としている。
また、スライド扉２０Ａを、その扉幅方向の少なくとも一部が、フロアー部８上に位置するように配設している。
また、本実施形態では、図４（ｂ）及び図５（ｂ）に示すように、スライド扉２０Ａが家人用開口部１２Ａを閉鎖した状態で、採光窓部２１Ａの全体が収納壁部１３Ａの前方側に位置する構造としている。つまり、スライド扉２０Ａが家人用開口部１２Ａを閉鎖した状態で、採光窓部２１Ａと収納壁部１３Ａとが前後方向で重なる構造としている。このような構造とすることで、スライド扉２０Ａが家人用開口部１２Ａを閉鎖した状態で、家人用開口部１２Ａの後方側からスライド扉２０Ａを見た状態では、採光窓部２１Ａが露出しないこととなる。これにより、上記第１実施形態と比べて、家人用開口部１２Ａを閉鎖したスライド扉２０Ａをスライドさせる際に、その後方側から採光窓部２１Ａに手掛け等がし難くなり、この採光窓部２１Ａに手指等が挟みこまれるようなことを抑制することができる。
【００５５】
また、図５に示すように、上レール部材３１の長手方向一方側の上方側に、壁体１５と間仕切壁３３とを接続し、主玄関スペースとその後方側の客人用開口部側居室空間とを区画するように、天井から垂れ下がる垂れ壁３４を設けている。一方、上レール部材３１の長手方向他方側の上方側に、主玄関スペース側と補助玄関スペース側とを連通させるように、天井との間に上側空間部３９を設けている。
また、客人用開口部１１Ａ側の縦枠３２を、下端をフロアー部８に当接させ、上端を上レール部材３１に結合し、間仕切壁３３に沿うように配設している。一方、家人用開口部１２Ａ側の縦枠３２を、客人用開口部１１Ａ側の縦枠３２と略同長さ寸法とし、下端を補助土間部７に当接させずに、客人用開口部１１Ａ側の縦枠３２の下端と略同高さに位置させている。このように、家人用開口部１２Ａ側の縦枠３２の下端を補助土間部７に当接させずに浮かせることで、雨天や清掃等によって土間部に水気等がある場合にもこの縦枠３２の下端部の汚損等を抑制することができる。なお、この家人用開口部１２Ａ側の縦枠３２の下端を、補助土間部７に当接させるようにしてもよい。
【００５６】
また、図例では、図４に示すように、客人用開口部側居室空間と補助玄関スペースとを区画し、補助玄関スペースを囲むように区画する補助玄関壁部３５，３６を設けている。図例では、収納壁部１３Ａの壁体１５に連なるように、後方側（奥側）に延びるように第１補助玄関壁部３５を設けている。なお、この第１補助玄関壁部３５と収納壁部１３Ａの壁体１５とを一連のものとして把握するようにしてもよい。また、図例では、第１補助玄関壁部３５を、補助玄関スペースの後方側を客人用開口部側居室空間側に入り込ませるように平面視してその後方側が屈曲した形状とした例を示しているが、このような態様に限られない。
また、この第１補助玄関土間部３５の後端部と家人用開口部１２Ａ側の開口１０Ａの内側面を構成する壁体（図例では、外側壁体２）とを接続するように第２補助玄関壁部３６を設けた例を示している。これら補助玄関壁部３５，３６は、フロアー部８（及び補助土間部７）から天井に至るように設けられている。
【００５７】
これら補助玄関壁部３５，３６、家人用開口部１２Ａ側の開口１０Ａの内側面を構成する壁体及び出入開口構造１Ａの一部によって、補助玄関スペースの四周が区画されている。
また、図例では、補助玄関スペース側にフロアー部８の一部によって補助フロアー部が形成されるように、フロアー部８上にこれら補助玄関壁部３５，３６を設けている。このように、補助玄関スペース側に、補助土間部７から段上がり状の補助フロアー部をフロアー部８と一連に設けることで、家人が玄関上りとして利用でき、スムーズな出入が可能となり、使い勝手を向上させることができる。
また、第１補助玄関壁部３５に、居室出入口３７とこの居室出入口３７を開閉する居室側扉３８とを設けている。
居室出入口３７は、客人用開口部側居室空間と補助玄関スペースとを連通させる出入口となる。
【００５８】
なお、図４において、符号９は、靴等の収納棚などを備え、補助玄関スペースに設けられた収納部である。
また、図例では、居室側扉３８を、居室出入口３７に設けられた扉枠等に蝶番等の連結部材で連結支持された開き戸としているが、スライド扉（引戸）や、折戸等としてもよい。または、開閉スクリーンとしてもよい。この場合は、居室出入口３７の上側を区画する天井や開口枠等に開閉スクリーンの巻取機構を設け、この巻取機構によって上下方向に巻き取り及び繰り出し可能なロールスクリーン式の開閉スクリーンとしてもよい。また、例えば、プリーツスクリーンやブラインドカーテン、シェードカーテン、その他のカーテンなどの開閉可能でかつ遮蔽可能な遮蔽開閉部材を、居室出入口３７を開閉する扉として採用するようにしてもよい。つまり、主玄関スペースや客人用開口部側居室空間から補助玄関スペースがある程度、視覚的に遮蔽されるものであれば、どのような扉（遮蔽開閉部材）を採用するようにしてもよい。
【００５９】
上記構造とされた本実施形態に係る出入開口構造１Ａを適用した玄関構造は、スライド扉２０Ａ及び居室側扉３８を開閉させることで、以下のような態様で使用するようにしてもよい。
図４（ａ）及び図５（ａ）に示すように、スライド扉２０Ａをスライドさせて、客人用開口部１１Ａを閉鎖させて家人用開口部１２Ａを開放させ、また、居室側扉３８を回動させて、居室出入口３７を開放させる。この状態では、図４（ａ）に示すように、玄関出入口３とリビング等に通じる客人用開口部側居室空間とが、主玄関スペース、家人用開口部１２Ａ、補助玄関スペース及び居室出入口３７を介して連通し、家人用通路が形成される。
一方、図４（ｂ）及び図５（ｂ）に示すように、家人用開口部１２Ａを閉鎖させて客人用開口部１１Ａを開放させ、また、居室側扉３８を回動させて、居室出入口３７を閉鎖させる。この状態では、図４（ｂ）に示すように、玄関出入口３とリビング等に通じる客人用開口部側居室空間とが、主玄関スペース及び客人用開口部１１Ａを介して連通し、客人用通路が形成される。また、補助玄関スペースが、主玄関スペース側及び客人用開口部側居室空間側から概ね隠蔽された状態となる。
【００６０】
上記構成とされた本実施形態に係る出入開口構造１Ａにおいても、上記した第１実施形態と略同様の効果を奏する。
また、この出入開口構造１Ａを適用した玄関構造によれば、上記のように、スライド扉２０Ａ及び居室側扉３８を開閉させることで、家人用通路と客人用通路とを選択的に容易に形成することができる。また、建物の玄関スペースを見栄え良く家人用と客人用とに区分することができるとともに、使い勝手を向上させることができる。
また、スライド扉２０Ａをスライド移動させて第１開口部としての客人用開口部１１Ａを閉鎖する自動閉鎖機構２４を設けているので、主に家人が使用する家人用開口部１２Ａが開放されることとなり、使い勝手を向上させることができる。
【００６１】
また、図例では、家人用開口部１２Ａ側に、補助土間部７を設けているので、この補助土間部７を家人用の玄関土間として利用することができる。従って、この補助土間部７に家人の履物等を並べることができる。また、キャスター付きのバッグや荷台、ゴルフバッグ等をスムーズに出し入れすることができ、これらを補助玄関スペースに収納することもできる。また、家人用開口部１２Ａをスライド扉２０Ａによって閉鎖させれば、主玄関スペース側から補助土間部７が目立ち難くなり、補助土間部７上の補助玄関スペースを主玄関スペース側から見栄え良く区分することができる。
【００６２】
また、図例では、収納壁部１３Ａの収納箱体及び家人用開口部１２Ａの上方側に上側空間部３９を設け、客人用開口部１１Ａ側には上側空間部を設けずに、垂れ壁３４を設けた構造としている。これによれば、スライド扉２０Ａ及び居室側扉３８によって客人用開口部１１Ａ及び居室出入口３７をそれぞれ閉鎖させれば、リビング等に通じる客人用開口部側居室空間側から主玄関スペース及び補助玄関スペースを略遮断できる。これにより、客人用開口部側居室空間側の気密性を向上させることができ、また、玄関側の臭気（空気）が客人用開口部側居室空間側に流入することを抑制することができる。
また、図例では、スライド扉２０Ａが家人用開口部１２Ａを閉鎖した状態でスライド扉２０Ａの下端と補助土間部７との間に下側空間部が形成される構造としている。従って、この下側空間部や、上側空間部３９を介して補助玄関スペース側の空気を換気でき、補助土間部７に置かれた靴等や、補助玄関スペースに収納された靴やスポーツ用品等の収納物の臭気を補助玄関スペース側に篭り難くすることができる。
【００６３】
なお、上側空間部３９を設けずに垂れ壁等の閉塞部材を設けるようにしてもよい。または、第１実施形態と略同様、出入開口構造１Ａ自体を天井に略至る高さ寸法等としてもよい。
また、上記した例では、スライド扉２０Ａが家人用開口部１２Ａを閉鎖した状態でスライド扉２０Ａの下端と補助土間部７との間に下側空間部が形成される構造とした例を示しているが、このような態様に限られない。例えば、スライド扉２０Ａをフロアー部８の手前側に配置し、その下端面が玄関土間部６に近接対面する構造とされたものとしてもよい。この場合は、玄関土間部６や、フロアー部８の前方側の立ち上り面等に、上記同様の下ガイド部を設けるようにしてもよい。
【００６４】
次に、本発明の更に他の実施形態に係る出入開口構造の一例について図６及び図７に基づいて説明する。
なお、上記各実施形態との相違点について主に説明し、同様の構成については、同一符号を付し、その説明を省略または簡略に説明する。
【００６５】
図６及び図７は、第３実施形態に係る出入開口構造の一例を模式的に示す図である。
本実施形態に係る出入開口構造１Ｂは、収納壁部１３Ｂ、スライド扉２０Ｂ及びストッパー部４０の構成が上記各実施形態とは主に異なる。
本実施形態では、スライド扉２０Ｂに、扉幅方向に間隔を空けて二箇所に採光窓部２１Ｂ，２１Ｃを設けている。また、これら採光窓部２１Ｂ，２１Ｃは、一方が閉鎖側の開口部１１Ｂ，１２Ｂの開口幅方向略中央に位置し、他方が収納壁部１３Ｂの前方に位置するように設けられている。
【００６６】
つまり、図６（ａ）及び図７（ａ）に示すように、スライド扉２０Ｂが第１開口部１１Ｂを閉鎖した状態では、スライド扉２０Ｂの第１開口部１１Ｂ側の第１採光窓部２１Ｂが第１開口部１１Ｂの開口幅方向略中央に位置する。また、この状態では、スライド扉２０Ｂの第２開口部１２Ｂ側の第２採光窓部２１Ｃが収納壁部１３Ｂの前方に位置する。
一方、図６（ｂ）及び図７（ｂ）に示すように、スライド扉２０Ｂが第２開口部１２Ｂを閉鎖した状態では、スライド扉２０Ｂの第２採光窓部２１Ｃが第２開口部１２Ｂの開口幅方向略中央に位置し、第１採光窓部２１Ｂが収納壁部１３Ｂの前方に位置する。
【００６７】
上記のような構成とすることで、スライド扉２０Ｂがいずれの開口部１１Ｂ，１２Ｂを閉鎖した際にも、閉鎖側の開口部の開口幅方向略中央に、いずれか一方の採光窓部が位置することとなる。これにより、いずれの開口部１１Ｂ，１２Ｂを閉鎖した際にも、後方側からスライド扉２０Ｂを見た状態における見栄えを向上させることができる。
また、他方の採光窓部は、収納壁部１３Ｂの前方に位置するため、上記第２実施形態と略同様、その後方側からこの採光窓部に手掛け等がし難くなり、この採光窓部に手指等が挟みこまれるようなことを抑制することができる。
【００６８】
また、本実施形態では、収納壁部１３Ｂの幅寸法Ｗ２を、上記各実施形態よりも大きい幅寸法としている。図例では、収納壁部１３Ｂの幅寸法Ｗ２を、各開口部１１Ｂ，１２Ｂの開口幅寸法Ｗ１の略４／５程度としている。
また、本実施形態では、収納壁部１３Ｂの前面１３ａに、着色部（模様部）１３ｅを設けている。図例では、スライド扉２０Ｂが一方の開口部１１Ｂ（または１２Ｂ）を閉鎖した状態で、反閉鎖側の採光窓部２１Ｃ（または２１Ｂ）と前後方向で重なる位置となるように、着色部１３ｅ，１３ｅを収納壁部１３Ｂの前面１３ａの二箇所に設けた例を示している。
このような着色部１３ｅ，１３ｅを設けることで、閉鎖側の開口幅方向略中央に位置する採光窓部２１Ｂ（または２１Ｃ）を採光窓部２１Ｂ（または２１Ｃ）として機能させながらも、他方の収納壁部１３Ｂの前方に位置する採光窓部２１Ｃ（または２１Ｂ）の透過性により着色部１３ｅを意匠上のアクセントとして機能させることができる。
【００６９】
なお、図６では、採光窓部２１Ｃ（または２１Ｂ）の後方に位置する着色部１３ｅを、梨地状にハッチングを施して概念的に示している。
また、着色部１３ｅ，１３ｅとしては、単色に着色されたものに限られず、模様状に着色されたものとしてもよい。また、着色部１３ｅ，１３ｅは、収納壁部１３Ｂの前面１３ａに、塗装等によって施すようにしてもよく、または、シート状（フィルム状）体を貼着することで施すようにしてもよい。
また、上記のように、反閉鎖側の採光窓部２１Ｃ（または２１Ｂ）と前後方向で重なる位置となるように、着色部１３ｅ，１３ｅを収納壁部１３Ｂの前面１３ａの二箇所に設けた場合には、これらの色や模様等を互いに異なるものとしてもよい。
また、上記のように、着色部１３ｅ，１３ｅを二箇所に設ける態様に限られず、反閉鎖側の採光窓部２１Ｃ，２１Ｂの両方に前後方向で重なるように、その幅寸法を大きくした単一の着色部としてもよい。または、例えば、収納壁部１３Ｂの幅寸法Ｗ２を、各開口部１１Ｂ，１２Ｂの開口幅寸法Ｗ１と略同寸法等とすることで、反閉鎖側の採光窓部２１Ｃ，２１Ｂの両方が、収納壁部１３Ｂの幅方向の概ね同位置に位置付けられるものとし、それに応じた単一の着色部１３ｅを設けるようにしてもよい。
【００７０】
また、本実施形態では、ストッパー部４０を、収納壁部１３Ｂに設けずに、スライド扉２０Ｂに設けている。
ストッパー部４０は、図７（ｃ）に示すように、スライド扉２０Ｂの戸先側端部に設けられ、下方側（床側）に向けて進退自在とされたストッパーピン（ロックピン）４２を有したいわゆるフランス落し（丸落し）錠状の構造とされている。
このストッパー部４０は、スライド扉２０Ｂの戸先側端部の下端部に埋め込まれるように設けられた本体部４１と、この本体部４１から下方側に向けて進退自在とされたストッパーピン４２と、を備えている。このストッパーピン４２は、本体部４１に対して下方側に突出したロック位置と没入（引退）したロック解除位置との間を本体部４１に対して進退自在とされている。また、ストッパー部４０は、スライド扉２０Ｂの戸先側端面に露出するように設けられ、ストッパーピン４２を進退させる操作部４３を備えている。また、ストッパー部４０は、収納壁部１３Ｂの第１開口部１１Ｂ側端部の前方の床側に設けられ、ストッパーピン４２を受け入れるロック凹所４５を設けたストッパー受具４４を備えている。
【００７１】
このストッパー部４０は、スライド扉２０Ｂによって第１開口部１１Ｂを開放させ、ストッパーピン４２をロック位置とすれば、図７（ｃ）に示すように、ストッパーピン４２がスライド扉２０Ｂの下端から大きく突出し、ストッパー受具４４のロック凹所４５に挿入される。これにより、上記各実施形態と同様、自動閉鎖機構２４によって第１開口部１１Ｂを閉鎖する方向へ付勢されたスライド扉２０Ｂの閉鎖側への移動が停止される。
一方、ストッパー部４０は、ストッパーピン４２をロック解除位置とすれば、図示は省略しているが、ストッパーピン４２が没入され、ストッパーピン４２とストッパー受具４４のロック凹所４５との係合が解除される。この状態では、上記各実施形態と同様、スライド扉２０Ｂのスライド移動が可能とされ、自動閉鎖機構２４によってスライド扉２０Ｂをスライド移動させて第１開口部１１Ｂを閉鎖させることができる。
【００７２】
このように、本実施形態においても、ストッパー部４０を、スライド扉２０Ｂを停止させるロック操作と解除操作とがなされる構造としている。また、本実施形態においても、ストッパー部４０は、そのロック操作及び解除操作が第１開口部１１Ｂ側において可能な構造とされている。これにより、上記したストッパー部１６と同様の効果を奏する。
また、上記のようなストッパー部４０を設けることで、上記各実施形態において説明したストッパー部１６と比べて、ストッパー部４０を目立ち難くすることができ、見栄えを向上させることができる。なお、ストッパー部４０の本体部４１等を、スライド扉２０Ｂの戸先側端部の下端部に設けた態様に代えて、または加えて、スライド扉２０Ｂの戸先側端部の上端部に設けるようにしてもよい。この場合は、上レール部材３１等の天井側に、適宜、ストッパー受具４４を設けるようにしてもよい。
【００７３】
上記構成とされた本実施形態に係る出入開口構造１Ｂにおいても、上記した各実施形態と略同様の効果を奏する。
なお、本実施形態に係る出入開口構造１Ｂや第１実施形態に係る出入開口構造１を、第２実施形態と同様、玄関構造の一部として組み込んで適用するようにしてもよい。
また、上記各実施形態において説明した互いに異なる構成等を、これらの機能を阻害しない限りにおいて適宜、組み替えたり、組み合わせたりして、適用するようにしてもよい。この場合、必要に応じて適宜、変形するようにしてもよい。
【００７４】
また、上記各実施形態では、収納壁部１３，１３Ａ，１３Ｂの幅寸法Ｗ２を、開口部１１，１１Ａ，１１Ｂ，１２，１２Ａ，１２Ｂの開口幅寸法Ｗ１よりも小さい幅寸法とした例を示しているが、このような態様に限られない。例えば、収納壁部１３，１３Ａ，１３Ｂの幅寸法Ｗ２と開口部１１，１１Ａ，１１Ｂ，１２，１２Ａ，１２Ｂの開口幅寸法Ｗ１とを略同寸法としたり、収納壁部１３，１３Ａ，１３Ｂの幅寸法Ｗ２を、開口部１１，１１Ａ，１１Ｂ，１２，１２Ａ，１２Ｂの開口幅寸法Ｗ１よりも大きい幅寸法としたりしてもよい。この場合は、スライド扉２０，２０Ａ，２０Ｂや上レール部材３１等の寸法を、適宜、調整するようにすればよい。
【００７５】
また、上記各実施形態では、上レール部材３１を下向きに開口し、両側板部に、ランナー部材２２，２３の転動部を転動自在に支持する案内片を連成したものとしているが、このような態様に限られない。ランナー部材の形状や構造に応じて、例えば、略Ｌ字状とされたものや、横向きに開口した略コ字状（略Ｕ字状または略Ｃ字状）とされたものとしてもよい。
また、上記各実施形態では、スライド扉２０，２０Ａ，２０Ｂを上吊り構造とした例を示しているが、このような態様に限られず、下荷重構造としてもよい。この場合は、スライド扉２０，２０Ａ，２０Ｂの上端部に、ランナー部材に代えて、上レール等に係合する案内片やピボット等を設けるようにしてもよい。また、この場合は、スライド扉２０，２０Ａ，２０Ｂの下端部に戸車を設け、この戸車をガイドする下レール等を床に敷設または床に埋設するようにしてもよい。また、この場合において、上記第２実施形態のように、出入開口構造１，１Ａ，１Ｂを玄関構造に適用した場合には、玄関土間部６に下レール等を設けるようにしてもよい。
【００７６】
また、上記各実施形態では、扉枠３０として、左右の縦枠３２，３２を備えたものを例示しているが、これら左右の縦枠３２，３２を備えずに、上レール部材３１のみを備えたものとしてもよい。この場合は、開口１０，１０Ａの左右両側の壁仕上げ面を、スライド扉２０，２０Ａ，２０Ｂの扉幅方向端部が当接される戸当り部として把握するようにしてもよい。また、この場合は、開口１０，１０Ａの開口幅寸法に応じて、また、必要に応じて、収納壁部１３，１３Ａ，１３Ｂの幅寸法Ｗ２やスライド扉２０，２０Ａ，２０Ｂの扉幅寸法Ｗ３、上レール部材３１の長さ寸法等を適宜、調整するようにしてもよい。
【００７７】
また、上記各実施形態では、自動閉鎖機構２４を、スライド扉２０，２０Ａ，２０Ｂをスライド移動させて第１開口部１１，１１Ａ，１１Ｂを閉鎖させる構成とした例を示しているが、このような態様に限られない。自動閉鎖機構２４を、スライド扉２０，２０Ａ，２０Ｂをスライド移動させて第２開口部１２，１２Ａ，１２Ｂを閉鎖させる構成としてもよい。この場合は、ストッパー部１６，４０を設ける位置を、適宜、変形するようにしてもよい。
また、ストッパー部としては、上記第１，２実施形態で説明したような収納壁部１３，１３Ａ側に設けたストッパー部１６や、上記第３実施形態で説明したようなフランス落し（丸落し）錠状のストッパー部４０に限られない。例えば、スライド扉２０，２０Ａ，２０Ｂの戸先側端部に、スライド扉２０，２０Ａ，２０Ｂの後面から前後方向に出没するストッパーピンを設け、収納壁部１３，１３Ａ，１３Ｂの第１開口部１１，１１Ａ，１１Ｂ側の側板１３ｂ等に該ストッパーピンを受け入れるロック凹所を設けた、いわゆる召し合わせ錠状の構造とされたものとしてもよい。この場合、スライド扉２０，２０Ａ，２０Ｂの前面側にストッパーピンを出没させる操作部等を設けるようにしてもよい。
【００７８】
また、上記各実施形態では、ロック操作と解除操作とが手動でなされるストッパー部１６，４０を例示したが、このような態様に限られない。例えば、スライド扉２０，２０Ａ，２０Ｂを停止させた状態とその解除とがスライド扉２０，２０Ａ，２０Ｂのスライドに伴いなされるばね等の付勢部材によるキャッチ機構等をストッパー部として設けるようにしてもよい。このようなストッパー部としては、上レール部材３１の適所に、ランナー部材を規制するばね等の付勢部材を設けた態様としてもよい。
さらには、このようなスライド扉２０，２０Ａ，２０Ｂを停止させて自動閉鎖側の開口部１１，１１Ａ，１１Ｂ（１２，１２Ａ，１２Ｂ）の開放状態を維持させるストッパー部を設けないようにしてもよい。
【００７９】
また、上記各実施形態では、スライド扉２０，２０Ａ，２０Ｂをスライド移動させて第１開口部１１，１１Ａ，１１Ｂを閉鎖させる自動閉鎖機構２４を設けた例を示しているが、このような自動閉鎖機構２４を設けないようにしてもよい。
また、上記各実施形態では、スライド扉２０，２０Ａ，２０Ｂに、採光窓部２１，２１Ａ，２１Ｂ，２１Ｃを設けた例を示しているが、このような採光窓部に代えて、鏡板を設けるようにしてもよい。さらには、このような採光窓部や鏡板等を設けずに、その前後面が略平坦面とされたスライド扉としてもよい。
また、上記各実施形態では、住居等の建物に設けられた開口１０，１０Ａに設けられた出入開口構造１，１Ａ，１Ｂとして説明したが、上記した収納壁部１３，１３Ａ，１３Ｂやスライド扉２０，２０Ａ，２０Ｂ、扉枠３０などの各構成部材を備え、開口１０，１０Ａに設置される間仕切収納装置１，１Ａ，１Ｂとして把握するようにしてもよい。
【符号の説明】
【００８０】
１，１Ａ，１Ｂ        出入開口構造
１１，１１Ｂ          第１開口部
１２，１２Ｂ          第２開口部
１１Ａ                客人用開口部（第１開口部）
１２Ａ                家人用開口部（第２開口部）
１３，１３Ａ，１３Ｂ  収納壁部
１３ａ                前面（開口側とは異なる面）
１４                  収納部
１５                  壁体（収納壁部）
１６，４０            ストッパー部
２０，２０Ａ，２０Ｂ  スライド扉
２１，２１Ａ          採光窓部
２１Ｂ                第１採光窓部（採光窓部）
２１Ｃ                第２採光窓部（採光窓部）
２４                  自動閉鎖機構
Ｗ１                  開口幅寸法
Ｗ２                  収納壁部の幅寸法
Ｗ３                  扉幅寸法
【図１】
2013256812.tif 000003
【図２】
2013256812.tif 000004
【図３】
2013256812.tif 000005
【図４】
2013256812.tif 000006
【図５】
2013256812.tif 000007
【図６】
2013256812.tif 000008
【図７】
2013256812.tif 000009